(57)【要約】【課題】  表面の平滑度が荒い記録材や、含水率の急激な変化による波打ちなどの変形が発生した記録材に印刷を行った場合でも、良好な転写性能を得られる印刷装置の転写装置を提供する。【解決手段】  像担持体(2)上に形成された現像像を記録材(6)に転写する転写器(11)と、転写器近傍において記録材を像担持体に押し付ける押圧手段(13)とを備えた印刷装置の転写装置において、押圧手段の少なくとも記録材と接触する部分は導電材からなり、該導電材に像担持体上の現像像の帯電極性とは逆極性のバイアス電位を印加するバイアス印加手段(25)を備えた。【選択図】  図４
2007298641.tif 000002
【特許請求の範囲】
【請求項１】
像担持体上に形成された現像像を記録材に転写する転写器と、該転写器近傍において前記記録材を前記像担持体に押し付ける押圧手段とを備えた印刷装置の転写装置において、
前記押圧手段の少なくとも前記記録材と接触する部分は導電材からなり、該導電材に、前記像担持体上の現像像の帯電極性とは逆極性のバイアス電位を印加するバイアス印加手段を備えたことを特徴とする印刷装置の転写装置。
【請求項２】
前記押圧手段は、前記像担持体の幅方向に沿って巻き取り可能に支持された帯状テープであることを特徴とする請求項１記載の印刷装置の転写装置。
【発明の詳細な説明】
【技術分野】
【０００１】
本発明は、印刷装置の転写装置に関するものである。
【背景技術】
【０００２】
図５には電子写真式印刷装置の例が示されている。同図において１は帯電器、２は像担持体となる感光体、３は露光装置から発せられたレーザ光、４は現像機、５は記録材搬送ユニット、６は記録材（本例では連続用紙として示している）、７は現像像を記録材に定着させるヒートローラ、８は定着時に記録材６をヒートローラ７に押しつけるバックアップローラ、９は記録材６を排出するプラーローラ、１０は排出された記録材６を収納する記録材巻き取り装置、１１は現像像を転写する転写器、１２はリトラクタ、１５は記録材供給装置である。
【０００３】
このような印刷装置において、帯電器１により帯電された感光体２へ、レーザ光３により書き込まれた静電潜像は現像機４により現像され、記録材６が記録材搬送ユニット５より送り出され、リトラクタ１２を通過する時、感光体２上の現像剤が転写器１１により記録材６に転写される。その後、送り出された記録材６は、ヒートローラ７およびバックローラ８を通りトナーが定着され、プラーローラ９により記録材巻き取り装置１０に送出される。
【０００４】
上記構成の印刷装置にて、表面の平滑度が荒い記録材や、含水率の急激な変化による波打ちなどの変形が発生した記録材に印刷を行った場合、転写部での感光体２と記録材６の密着性が確保できず、転写不良が発生する場合がある。
【０００５】
この問題の解決方法としては、図６に示すような押圧機構を付加する構成が考えられ、このような押圧機構を有する転写装置で、感光体２上の現像像を記録材６に転写する時、押圧機構１３が記録材６上の感光体転写可能範囲に対して押圧することで転写不良を防止する構成が提案されている。
【０００６】
また、押圧機構が感光体の非記録材範囲に接触することによる押圧機構の汚れや、感光体の損傷を防止するため、押圧範囲の可変機構が提案されている。
【０００７】
【特許文献１】特開２０００−３０５３７８号公報
【発明の開示】
【発明が解決しようとする課題】
【０００８】
上記従来技術は、押圧機構により記録材を感光体に押し付けることで、記録材と感光体との密着性を向上させることにより、転写不良は軽減されるものの、さらなる転写性の向上と安定性が求められる。
【０００９】
本発明は、表面の平滑度が荒い記録材や、含水率の急激な変化による波打ちなどの変形が発生した記録材に印刷を行った場合でも、良好な転写性能を得られる印刷装置の転写装置を提供することを目的とするものである。
【課題を解決するための手段】
【００１０】
本発明は、像担持体上に形成された現像像を記録材に転写する転写器と、該転写器近傍において前記記録材を前記像担持体に押し付ける押圧手段とを備えた印刷装置の転写装置において、前記押圧手段の少なくとも前記記録材と接触する部分は導電材からなり、該導電材に、前記像担持体上の現像像の帯電極性とは逆極性のバイアス電位を印加するバイアス印加手段を備えたことを特徴とする。
【発明の効果】
【００１１】
本発明によれば、表面の平滑度が荒い記録材や、含水率の急激な変化による波打ちなどの変形が発生した記録材に印刷を行った場合でも、良好な転写性能を得ることができる。
【発明を実施するための最良の形態】
【００１２】
以下、本発明の実施例を説明する。
【００１３】
図１に印刷装置の概略構成を示す。なお、図１において従来と同じ部品には同じ符号を付したので説明を省略する。
【００１４】
転写器１１の近傍には、記録材６を感光体２に押し付ける押圧機構１３が設けられている。図２に、押圧機構１３、感光体２および記録材６の位置関係を示す。押圧機構１３は、帯状の押圧テープ１９と、コイルバネを内在し、押圧テープ１９の一端を巻き取るための巻取りローラ１８と、押圧テープ１９の他端が固定され、印刷幅方向にスライドするテープスライダ１６と、押圧範囲の一端の位置決めをするガイドローラ２２と、テープスライダ１６の移動方向を誘導するガイドシャフト１７と、テープスライダ１６の移動幅を制限するストッパ２０によって構成される。
【００１５】
押圧機構１３上の押圧テープ１９は、記録材６、感光体２に対し、斜めに設置することで押圧辺ａの部分のみが記録材６を押圧する。この押圧テープ１９は、弾性が高くかつ耐摩耗性の材質からなる。
【００１６】
押圧機構１３は、印刷幅方向（感光体２の幅方向）に可変長で対応する機構を有し、記録材６の印刷有効範囲のみを押圧テープ１９で感光体２に押し付けるように、記録材６の範囲に応じて変更可能な構成としている。
【００１７】
平行移動するテープスライダ１６には、巻取りローラ１８に巻き付いている押圧テープ１９の先端が固定してあり、テープスライダ１６の移動位置によって引き伸ばしおよび引き戻しが行われることで、必要な記録材６の押圧範囲に伸縮可能とする。
【００１８】
ここで押圧テープ１９の押圧辺ａの部分に、一定間隔の切り込みを入れることで、ガイドローラ２２によって、押圧テープ１９に生じる円曲部の影響を受けずに均一な押圧力を与えることができる。
【００１９】
また、切り込み間隔はあらゆる記録材幅でも均一な押圧力を得るために、最大でもテープスライダ１６移動量単位であることが望ましく、記録材幅の設定単位長さと同一か、または整数分の１とする。
【００２０】
テープスライダ１６の移動手段としては、図３に示すように、回転ノブ２４を手動で回すことによって螺旋軸１４を回転し、必要な記録材６の押圧範囲に応じた位置にテープスライダ１６を移動可能とする。あるいは回転ノブ２４の替わりに軸駆動用モータ（図示せず）によって螺旋軸１４を回転し、必要な記録材６の押圧範囲に応じた位置にテープスライダ１６を移動可能としてもよい。
【００２１】
本発明の実施例を図４に示す。押圧テープ１９の先端は導電性部材からなっており、これは押圧テープ１９の内部にパターン成形された導線を経て、巻取りローラ１８の中心軸に電気的に接続されている。さらに、バイアス電源２５の出力が巻取りローラ１８の中心軸に接続されており、バイアス電源２５をオンにすると、押圧テープ１９先端の導電部材にバイアス電位が印加される。
【００２２】
このような構成の押圧機構を、印刷有効範囲のみにおいて感光体２に記録材６を押し付けることで感光体２と記録材６の密着性を上げつつ、バイアスを印加することで現像剤（トナー）の吸着力を高める一方、非記録材範囲では感光体２には接触しないため感光体２の傷付きをなくしつつ、バイアス印加もされないため無駄な電流消費の抑止が可能であるとともに、押圧機構の汚れも抑止されるため、清掃機構が不要でシンプルな構成とすることが可能となる。
【００２３】
なお、バイアス電位が印加された押圧機構をコロナ転写器の替わりに置き換えることも可能であり、この場合、記録材の幅寸法に応じた可変長機構を組み込むことにより、記録材が掛かっていない範囲の感光体に対する損傷を防止し、記録材が掛かっていない範囲の押圧機構に対する汚れを防止するだけでなく、ローラ転写方式で発生する用紙のない部分での余分な電流の流れ込みをなくすことが可能であり、省エネルギーと、良好な転写性能を兼ね備えた転写機構をシンプルな構成で実現可能である。
【図面の簡単な説明】
【００２４】
【図１】本発明の印刷装置の概略構成図。
【図２】押圧機構の拡大斜視図。
【図３】押圧機構の駆動部を示す構成図。
【図４】押圧テープの構成図。
【図５】従来の印刷装置の概略構成図。
【図６】従来の押圧機構の構成図。
【符号の説明】
【００２５】
１  帯電器
２  感光体
３  レーザ光
４  現像機
５  記録材搬送ユニット
６  記録材
７  ヒートローラ
８  バックローラ
９  プラーローラ
１０  記録材巻き取り装置
１１  転写器
１２  リトラクタ
１３  押圧機構
１４  螺旋軸
１５  記録材供給装置
１６  テープスライダ
１７  ガイドシャフト
１８  巻取りローラ
１９  押圧テープ
２０  ストッパ
２２  ガイドローラ
２４  回転ノブ
２５  バイアス電源
【図１】
2007298641.tif 000003
【図２】
2007298641.tif 000004
【図３】
2007298641.tif 000005
【図４】
2007298641.tif 000006
【図５】
2007298641.tif 000007
【図６】
2007298641.tif 000008